(57)【特許請求の範囲】
【請求項１】
複数の撮影モードを選択的に設定可能とする撮影モード設定手段と、
互いに異なる複数の種類のファンクションを行わせるための設定であって、前記撮影モードのための設定とは異なる設定を順番に設定可能な状態にする機能設定部材と、
前記機能設定部材によって設定可能な状態にされる、前記ファンクションを行わせるための設定の順序及び種類のうち少なくとも一方を、前記撮影モード設定手段によって設定される撮影モードに応じて異ならせる機能設定手段とを有することを特徴とするカメラ。
【請求項２】
複数の撮影モードを選択的に設定可能とする撮影モード設定手段と、
互いに異なる複数の種類のファンクションを行わせるための設定であって、前記撮影モードのための設定とは異なる設定を順番に設定可能な状態にする機能設定部材と、
前記機能設定部材によって設定可能な状態にされる、前記ファンクションを行わせるための設定の順序を、前記撮影モード設定手段によって設定される撮影モードに応じて任意に設定することができる機能設定手段とを有することを特徴とするカメラ。
【請求項３】
複数の撮影モードを選択的に設定可能とする撮影モード設定手段と、
互いに異なる複数の種類のファンクションを行わせるための設定であって、前記撮影モードのための設定とは異なる設定を順番に設定可能な状態にする機能設定部材と、
前記機能設定部材によって設定可能な状態にされる、前記ファンクションを行わせるための設定を、前記撮影モード設定手段によって設定される撮影モードに応じて異ならせる機能設定手段とを有するカメラにおいて、
前記機能設定手段は、前記撮影モードが変更されたときに選択されているファンクションが変更前の撮影モードで設定可能な場合、該ファンクションを初期設定状態とすることを特徴とするカメラ。
【請求項４】
複数の撮影モードを選択的に設定可能とする撮影モード設定手段と、
互いに異なる複数の種類のファンクションを行わせるための設定であって、前記撮影モードのための設定とは異なる設定を順番に設定可能な状態にする機能設定部材と、
前記機能設定部材によって設定可能な状態にされる、前記ファンクションを行わせるための設定を、前記撮影モード設定手段によって設定される撮影モードに応じて異ならせる機能設定手段とを有するカメラにおいて、
前記機能設定手段は、前記撮影モードが変更されたときに選択されているファンクションが変更前の撮影モードでのみ設定可能な場合、該ファンクションを初期設定状態とすることを特徴とするカメラ。
【請求項５】
複数の撮影モードを選択的に設定可能とする撮影モード設定手段と、
互いに異なる複数の種類のファンクションを行わせるための設定であって、前記撮影モードのための設定とは異なる設定を順番に設定可能な状態にする機能設定部材と、
前記機能設定部材によって設定可能な状態にされる、前記ファンクションを行わせるための設定を、前記撮影モード設定手段によって設定される撮影モードに応じて異ならせる機能設定手段とを有するカメラにおいて、
前記機能設定手段は、前記撮影モードが変更されたときに選択されているファンクションを初期設定状態とすることを特徴とするカメラ。
【請求項６】
前記複数の撮影モードを複数群に分けた撮影モード群とすることを特徴とする請求項１、３から５のいずれかに記載のカメラ。
【請求項７】
前記機能設定手段は、メイン電源スイッチがオフ状態になると、選択されているファンクションを保持することを特徴とする請求項３から５のいずれかに記載のカメラ。
【発明の詳細な説明】
【０００１】
【発明の属する技術分野】
本発明は、カメラに係わり、複数の撮影モード（プログラムモード、ＡＶ優先モード等）と、複数の機能（ＡＥＢ、多重、合焦音のオン／オフ、赤目緩和オン／オフ等）を有するカメラに関するものである。
【０００２】
【従来の技術】
従来、カメラの撮影モードとしては、プログラクモード、シャッター速度優先モード、絞り優先モード、絞りもシャッター速度も撮影者が選択するマニアルモード、全自動モード、人物撮影に於いてなるべく背景をぼかすように制御するポートレートモード、深度をなるべく深くするように制御する風景モード、絞り深度を適度に深くする接写モード、走っている被写体を写し止めるスポーツモード等が例えば電源スイッチを兼ねるモード設定ダイアルに設定されている。
【０００３】
また、オートブラケット（ＡＥＢ）機能、多重露光機能、合焦音のオン／オフ機能、赤目緩和ランプのオン／オフ機能等の複数の機能を押しボタン式の機能選択スイッチにより選択できるようにしたカメラも提供されている。
【０００４】
一方、このようなカメラは機能が多くなるにつれて操作が複雑化する傾向にあり、また撮影モードにより設定可能な機能が異なることが多い。そして、撮影モードごとの機能設定の解除は、例えばメインスイッチを兼用する撮影モードダイアルをロック位置に回転させてメインスイッチをオフすることによりイニシャライズし、または撮影モードの変更時にイニシャライズし、また撮影後にイニシャライズするなどいろいろ場合を混在させている場合が多い。
【０００５】
【発明が解決しようとする課題】
ところで、上記した複数の撮影モードと複数の機能を有する多機能カメラにおいて、機能選択スイッチをオンする毎に選択される複数の機能の選択順序は撮影モードによらず同じであった。
【０００６】
このため、個々の撮影モードにより必要とされるファンクション機能の優先順位や種類は異なるため、所望の機能を選択するのに幾度も機能選択スイッチを押さなければならないことがある。
【０００７】
また、撮影モードを切り換えた場合、何が設定されたままで、何がリセットされたかがまちまちで、撮影者は困惑しカメラがどのような設定状態かすぐに認知できない場合が多い。そこで、リセットするための「Ｐ釦」等を持つカメラもある（Ｐ釦を押すと撮影モードがプログラムモードになってしまう。）。
【０００８】
本出願に係わる第１の発明の目的は、撮影モード等に応じて所望の機能を迅速に選択できるカメラを提供することにある。
【０００９】
本出願に係わる第２の発明の目的は、撮影モード等の変更に応じてカメラ機能の使用を容易とするカメラを提供することを特徴とするカメラ。
【００１０】
【課題を解決するための手段】
本出願に係わる第１の発明の目的を実現する第１の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定の順序を、撮影モード設定手段によって設定される撮影モードに応じて異ならせる機能設定手段とを有することを特徴とするカメラにある。
【００１１】
本出願に係わる第１の発明の目的を実現する第２の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定の種類を、撮影モード設定手段によって設定される撮影モードに応じて異ならせる機能設定手段とを有することを特徴とするカメラにある。
【００１２】
本出願に係わる第１の発明の目的を実現する第３の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定の順序と種類を、撮影モード設定手段によって設定される撮影モードに応じて異ならせる機能設定手段とを有することを特徴とするカメラにある。
【００１３】
本出願に係わる第１の発明の目的を実現する第４の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定の順序を、撮影モード設定手段によって設定される撮影モードに応じて任意に設定することができる機能設定手段とを有することを特徴とするカメラにある。
【００１４】
本出願に係わる第１の発明の目的を実現する第５の構成は、上記の第１、第２または第３の構成において、複数の撮影モードを複数群に分けた撮影モード群とすることを特徴とするカメラにある。
【００１５】
本出願に係わる第２の発明の目的を実現する第１の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定を、撮影モード設定手段によって設定される撮影モードに応じて異ならせる機能設定手段とを有するカメラにおいて、機能設定手段は、撮影モードが変更されたときに選択されているファンクションが変更前の撮影モードで設定可能な場合、このファンクションを初期設定状態とすることを特徴とするカメラにある。
【００１６】
本出願に係わる第２の発明の目的を実現する第２の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定を、撮影モード設定手段によって設定される撮影モードに応じて異ならせる機能設定手段とを有するカメラにおいて、機能設定手段は、撮影モードが変更されたときに選択されているファンクションが変更前の撮影モードでのみ設定可能な場合、このファンクションを初期設定状態とすることを特徴とするカメラにある。
【００１７】
本出願に係わる第２の発明の目的を実現する第３の構成は、複数の撮影モードを選択的に設定可能とする撮影モード設定手段と、互いに異なる複数の種類のファンクションを行わせるための設定であって、前記撮影モードのための設定とは異なる設定を順番に設定可能な状態にする機能設定部材と、この機能設定部材によって設定可能な状態にされる、前記ファンクションを行わせるための設定を、撮影モード設定手段によって設定される撮影モードに応じて異ならせる機能設定手段とを有するカメラにおいて、機能設定手段は、撮影モードが変更されたときに選択されているファンクションを初期設定状態とすることを特徴とするカメラにある。本出願に係わる第２の発明の目的を実現する第４の構成は、上記した第２の発明の目的を実現する上記の第１、第２または第３の構成において、複数の撮影モードを複数群に分けた撮影モード群とすることを特徴とするカメラにある。
【００１８】
本出願に係わる第２の発明の目的を実現する第５の構成は、上記した第２の発明の目的を実現する上記の第１、第２、第３または第４の構成において、前記機能設定手段は、メイン電源スイッチがオフ状態になると、選択されているファンクションを保持することを特徴とするカメラにある。
【００１９】
【発明の実施の形態】
＜第１の実施の形態＞
図１乃至図６は本発明の第１の実施の形態を示す。
【００２０】
本実施の形態では、複数の機能（ＡＥＢ、多重、合焦音のオン／オフ、赤目緩和ランプのオン／オフ）を設定する押しボタン式のファンクションスイッチを有し、また図４に示すように、２つの撮影モード群を有している。
【００２１】
そして、本実施の形態においては、ファンクションスイッチをオン・オフする押し釦を１回押す毎に、設定状態になる機能の順番が該撮影モード群により異ならせている。
【００２２】
図４に示す撮影モードダイアルは、撮影者がいろいろな設定を行うモードゾーンとしての第１ゾーン４１０には、プログラクモード表示部４０６、シャッター速度優先モード表示部４０７、絞り優先モード表示部４０８、絞りもシャッター速度も撮影者が選択するマニアルモード表示部４０９がカメラのメインスイッチをオフさせるロック表示部４０５の片側に順に並んで配置されている。
【００２３】
また、カメラお任せモードとしての第２ゾーン４１１には、全自動モード表示部（絵表示が緑色で表示されているのでグリーンモードと称することもある）４０４、人物撮影に於いてなるべく背景をぼかすように制御するポートレートモード表示部４０３、深度をなるべく深くするように制御する風景モード表示部４０２、絞り深度を適度に深くする接写モード表示部４０１、走っている被写体を写し止めるスポーツモード表示部４００が設けられ、所定の位置にこれらの撮影モードを合わせることによりその撮影モードが設定される。
【００２４】
図２は、本発明を実施したカメラの電気制御を現したブロック図である。
【００２５】
１はカメラの各部の動きを制御するためのマイクロコンピューターである。２はレンズ制御回路で、撮影レンズ１３の焦点調節用モーターと絞り羽根制御用モーターを駆動制御する。レンズ制御回路２はマイクロコンピューター１からＬＣＯＭ信号を受けている間、ＤＢＵＳを介してシリアル通信を行う。シリアル通信によりモーター駆動情報を受け取り、その情報によりモーターを駆動制御する。また、同時にレンズの各種の情報（焦点距離等）をシリアル通信によりマイクロコンピューター１に送る。
【００２６】
３は液晶表示回路で、カメラのバッテリー残量や撮影枚数やＴＶ値、ＡＶ値、露出補正量等を撮影者に知らせるための液晶表示器１１、１２を駆動するための回路である。液晶表示回路３は、マイクロコンピューター１からＤＰＣＯＭ信号を受けている間、ＤＢＵＳを介しシリアル通信を行う。シリアル通信により表示データを受け取り、そのデータに従って液晶表示器１１、１２を駆動する。また、シリアル通信から送られてくるデータには、セグメントのどの部分を点滅表示するかの情報も含まれ、そのデータを受け取った場合は、それに従って液晶表示器１１、１２の指定されたセグメントの点滅表示を行う。
【００２７】
４はスイッチセンス回路であり、撮影者が各撮影条件を設定するためのスイッチや、カメラの状態を示すスイッチの状態を読み取りマイクロコンピューター１に送る回路であり、ＳＷＣＯＭ信号を受けている間、ＤＢＵＳを介しシリアル通信によりマイクロコンピューター１にスイッチデータを送る。また、電子ダイアル１０の入力値により、ダイアル値のカウントアップ／カウントダウンも行い、ＳＷＣＯＭ信号を受けている間、ＤＢＵＳを介しシリアル通信によりマイクロコンピューター１にカウント値を送る。
【００２８】
５はストロボ発光調光制御回路であり、ストロボの発光とＴＴＬ調光による発光停止機能を制御する回路である。ストロボ発光調光制御回路５は、ＳＴＣＯＭ信号を受けてる間、ＤＢＵＳを介してマイクロコンピューター１とシリアル通信を行いストロボ制御に関するデータを受け取り各種の制御を行う。また、この回路は、外付けストロボがカメラに装着された場合のインターフェースの働きも行う。よって、外付けストロボが装着された場合は、外付けストロボと通信を行いその情報（補助光が有るか無いかｅｔｃ．．）をマイクロコンピュータ１に送る。逆に、マイクロコンピュータ１からの制御信号を外付けストロボ１４に伝える役割も行う。
【００２９】
６は焦点検出回路で、既存の位相差検出方式によりＡＦを行うためのラインセンサーと、その蓄積読み出しのための回路ユニットにより構成され、マイクロコンヒューター１により制御を行う。マイクロコンピューター１は、センサー出力のＡ／Ｄ値をもとに、既存のアルゴリズムで測距を行い、レンズ駆動量を演算した後に合焦するようにレンズ制御回路２に演算で求めたレンズ駆動量を通信し、レンズを駆動し合焦させる。
【００３０】
７は測光回路であり、被写体の測光を行い、マイクロコンヒューター１の制御により測光出力をマイクロコンピューターに送る。マイクロコンピューター１は送られた測光出力をＡ／Ｄ変換し、露出条件（絞り、シャッタースピード）の演算に用いる。
【００３１】
８はシャッター制御回路でマイクロコンピューター１の制御信号に従って、不図示のシャッター先幕及び後幕の走行制御を行う。
【００３２】
９は給送モータ／チャージモータ制御回路で、マイクロコンピューター１からの制御信号に従って、フィルムの給送（巻き上げ、巻戻し）を行う。また、本モータ制御回路はミラーアップ／チャージ（ミラーダウン）用モータの制御も行う。
【００３３】
ＳＷ１はカメラの動作を開始させる押し釦により動作する第１ストロークスイッチであり、オンされたことをマイクロコンピューター１が認識すると測光・測距・表示をスタートさせる。ＳＷ２は第２ストロークスイッチで、カメラのレリーズ釦と連動しており、オンされたことをマイクロコンピューター１が認識すると露光動作をスタートさせる。Ｘ接点はシャッターの先幕の走行完のタイミングでオンし、ストロボ発光のタイミングをストロボ発光調光制御回路５に知らせる役目をする。
【００３４】
スイッチＳＷ３，スイッチＳＷ４、スイッチＳＷ５、スイッチＳＷ６は、図４に示す撮影モードダイアルの回転によりオン／オフし、これらの４つのスイッチのオン／オフ状態の組合せで１つの撮影モード（カメラお任せモード側はグリーンモード、ポートレートモード、風景モード、クローズアップモード、スポーツモードであって、撮影者がいろいろ設定して撮影する撮影ゾーン側はプログラム、シャッタースピード優先、絞り優先、マニアル）が選択される。
【００３５】
ＳＷ７は押し釦によりオン・オフするファンクション選択スイッチであり、この押し釦を押すごとに、後述する前もって決められた順番と種類のファンクション（オートブラケット，多重露光，ブザーのオン／オフ，赤目緩和ランプのオン／オフ）が設定状態になる。また、設定状態を解除する場合は第１ストロークスイッチＳＷ１をオンする。
【００３６】
１０は電子ダイアルで、ＴＶ優先がモードとして設定されている場合には、電子ダイアル１０を回転させることにより撮影者の希望とするＴＶ値を設定することができる。また、ＡＶ優先がモードとして設定されている場合には、電子ダイアル１０を回転させることにより撮影者の希望とするＡＶ値を設定することができる。
【００３７】
また、ファンクション設定スイッチＳＷ７の操作でオートブラケット（ＡＥＢ）設定状態の場合は、電子ダイアル１０を回転することで、回転した分補正値がアップ／ダウンする。そして、ファンクション設定スイッチＳＷ７で多重露光（ＭＥ）設定状態の場合、電子ダイアル１０を回転することで、多重露光撮影枚数がアップ／ダウンする。ファンクション設定スイッチＳＷ７でブザーオン／オフ設定状態の場合、電子ダイアル１０を右に回転することでオンが設定され、左に回転するとオフが設定される。ファンクション設定スイッチＳＷ７で赤目緩和ランプのオン／オフ設定状態の場合、電子ダイアル１０を右に回転することでオンが設定され、左に回転するとオフが設定される。
【００３８】
ＳＷ８はマニアル時にＡＶ値をセットするための押し釦により操作されるスイッチで、マニアルが選択されている場合に、スイッチＳＷ８を押さずに電子ダイアル１０を回転させると、回転した分のＴＶ値がアップ／ダウンし、ＴＶ値の設定が可能となり、ＳＷ８を押しながら電子ダイアル１０を回転させると、回転した分のＡＶ値がアップ／ダウンしＡＶ値の設定が可能となる。
【００３９】
１１は外部表示装置で、液晶表示回路３で駆動される。１２はファインダー内液晶表示装置で、液晶表示回路３で駆動される。１３は交換可能なレンズであり、レンズ制御回路２を通して制御される。１４は外付けストロボであり、ストロボ発光調光制御回路５を通して制御される。また、本ストロボは、カメラ本体とは別な電源を持つ。１５はマイクロコンピュータ１の指示により発音するブザー制御回路である。１６はマイクロコンピュータ１の指示により不図示の赤目緩和ランプを点灯／消灯する赤目緩和ランプ制御回路である。
【００４０】
次に、図３のフロー図を用いて本実施の形態のカメラの一般的動作について説明する。
【００４１】
（３００）：ここは、カメラのメインスイッチが押された等の要因によりカメラの電源が入った状態であり、（３０１）へ進む。
【００４２】
（３０１）：ここではスイッチセンス回路４の情報をもとに、モードの切り替えや、設定値の切り替えを行い、変化が有った場合は液晶駆動回路３に通信をして、表示データを修正する。
【００４３】
（３０２）：ここで第１ストロークスイッチＳＷ１が押されているか、押されていないかの判定を行い、押されている場合は、測光／測距のために（３０６）へ進み、押されていない場合は、電源をオフするか否かの判定（３０３）に進む。（３０３）：電源をオフするか否かの判定を行い、オフする場合は（３０４）へ進み、オフしない場合は、（３０１）のスイッチ情報入力に戻る。つまり、何らかの要因で、カメラの電源が立ち上がった場合には一定時間、電源を起こしておくことにより、スイッチの状態のチェックや表示の切り替えを行う。
【００４４】
（３０４）：カメラのファインダー内や外部の不必要な部分の表示を液晶表示回路３により消灯し、電源をオフする。
【００４５】
（３０５）：終わり
（３０６）：測光回路７により被写体の測光を行い、測光出力をマイクロコンピューター１によりＡ／Ｄ変換し、露出条件（絞り、シャッタースピード）の演算を行う。
【００４６】
（３０７）：焦点検出回路６を用いて、ラインセンサーに蓄積し、読み出しを行い、そのセンサー出力のＡ／Ｄ値をもとに、既存のアルゴリズムで測距を行い、レンズ駆動量を演算した後に、合焦するようにレンズ制御回路２に演算で求めたレンズ駆動量を通信し、レンズを駆動し合焦させる。
【００４７】
（３０８）：（３０６）で演算されたＡＶ値／ＴＶ値を液晶表示回路３によりファインダー内液晶表示器１２と外部表示器１１に表示する。また、（３０７）の測距結果が合焦ならば、合焦表示も行う。
【００４８】
（３０９）：ここでは、カメラの状態がレリーズを許可して良い状態か否かの判定を行う。例えば、ＡＦモードが、「ワンショットモード」である場合は（３０７）の測距結果が、合焦ならばレリーズは許可され、第２ストロークスイッチＳＷ２のチェックを行う為に（３１０）に進み、合焦でない場合は、スイッチのチェックの為に（３０１）に戻る。ここで、第１ストロークスイッチＳＷ１がオンの場合は再び測光／測距／表示を行う。
【００４９】
（３１０）：ここで第２ストロークスイッチＳＷ２が押されているか否かの判定を行い、（３１１）以降のレリーズ動作に進むか否かの判定を行う。第２ストロークスイッチＳＷ２がオンの場合はレリーズ動作を行う為に（３１１）に進み、第２ストロークスイッチＳＷ２がオフの場合は、ＳＷのチェックの為に（３０１）に戻る。ここで、第１ストロークスイッチＳＷ１がオンの場合は再び測光／測距／表示を行う。
【００５０】
（３１１）：ここからレリーズ動作が開始される。ここでは、給送モータ／チャージモータ制御回路９により、ミラーをアップすると共に、（３０６）で決められた絞り量をレンズ制御回路２によりレンズ１３に通信し、設定露光量が得られるように絞り込み動作を行う。
【００５１】
（３１２）：シャッター制御回路８を用いて、（３０６）で決められたＴＶ量が得られるように不図示のシャッター先幕及び後幕の走行制御を行う。
【００５２】
（３１３）：ここでは、給送モータ／チャージモータ制御回路９により、ミラーをダウンする、と同時にシャッターのチャージを行い、（３０６）でレンズ制御回路２によりレンズ１３に通信し、絞り込まれていた絞りを開放に戻す。
【００５３】
（３１４）：給送モータ／チャージモータ制御回路９を用いてマイクロコンピューター１からの制御信号に従って、フィルムの巻き上げを行う。以上で本実施の形態のカメラの一般的動作が終了する。
【００５４】
次に、本実施の形態における機能設定を図１、図５、図６のフロー図を用いて説明する。
【００５５】
図１、図５、図６のフローは、図３に示すフローチャートのステップ（３０１）の動作の一部で、ファンクション設定の動作を示す。
【００５６】
まず図１に示すフローチャートにおいて、
（１００）：始め。
【００５７】
（１０１）：（３０１）のスイッチ入力でモード設定を行うスイッチＳＷ３，ＳＷ４、ＳＷ５，ＳＷ６の変化を検知し、撮影モードが変化したことの判定を行い、モードダイアルのロック表示部４０５が設定位置（ロック位置）であると判定された場合は、（１０２）に進み、ロック位置でないと判定された場合は撮影モードが第１ゾーン４０１あるいは第２ゾーン４１１かの判定のために（１０３）に進む。
【００５８】
（１０３）：撮影モードが第１ゾーン４１０か第２ゾーン４１１であるかの判定を行い、第１ゾーンの場合は（１０４）に進み、第２ゾーンの場合は（１０６）に進む。
【００５９】
（１０４）：ファンクション選択スイッチＳＷ７が、オフからオンに変化したか否かの判定を行い、オフからオンの変化がない場合は（１０２）に進み、オフからオンの変化があった場合は撮影モード第１ゾーンのファンクション設定処理をするために（１０５）に進む。
【００６０】
（１０５）：撮影モードの第１ゾーンのファンクション設定処理で、詳細は図５のフロー図に示す。
【００６１】
（１０６）：ファンクション選択スイッチＳＷ７が、オフからオンに変化したか否かの判定を行い、オフからオンの変化がない場合は（１０２）にすすみ、オフからオンの変化があった場合は撮影モード第２ゾーンのファンクション設定処理をするために（１０７）に進む。
【００６２】
（１０７）：撮影モード第２ゾーンのファンクション設定処理で詳細は図６のフロー図。
【００６３】
次に撮影モードの第１ゾーンのファンクション設定処理について図５のフロー図を用いて説明する。
【００６４】
（５００）：始め。
【００６５】
（５０１）：既に何かのファンクション設定状態か否かの判定を行い、設定状態でない場合は、オートブラケット（ＡＥＢ）の設定状態に切り換える為に（５０２）に進む。また、既に何かの設定状態の場合は、前回何の設定状態であったか否かの判定を行うために（５０４）に進む。
【００６６】
（５０２）：オートブラケット（ＡＥＢ）の設定状態に切り換える。
【００６７】
（５０３）：終わり。
【００６８】
（５０４）：前回のファンクション設定状態がオートブラケット設定状態か否かの判定を行い、オートブラケット設定状態であった場合は多重露光設定状態に切り換えるために（５０５）に進む。また、オートブラケット設定状態でない場合、次の検索のために（５０６）に進む。
【００６９】
（５０５）：多重露光の露光回数の設定状態に切り換える。
【００７０】
（５０６）：前回のファンクション設定状態が多重露光の露光回数の設定状態か否かの判定を行い、多重露光の露光回数の設定状態であった場合は赤目緩和ランプのオン／オフ設定状態に切り換えるために（５０７）に進む。また、多重露光の露光回数の設定状態でない場合、次の検索のために（５０８）に進む。
【００７１】
（５０７）：赤目緩和ランプのオン／オフの設定状態に切り換える。
【００７２】
（５０８）：前回のファンクション設定状態が赤目緩和ランプのオン／オフ設定状態か否かの判定を行い、赤目緩和ランプのオン／オフ設定状態であった場合はブザーのオン／オフ設定状態に切り換えるために（５０９）に進む。また、赤目緩和ランプのオン／オフ設定状態でない場合、オートブラケット（ＡＥＢ）設定状態に切り換える為に（５１０）に進む。
【００７３】
（５０９）：ブザーのオン／オフの設定状態に切り換える。
【００７４】
（５１０）：オートブラケット（ＡＥＢ）の設定状態に切り換える。
【００７５】
次に撮影モード第２ゾーンのファンクション設定処理について図６のフロー図を用いて説明する。
【００７６】
（６００）：始め。
【００７７】
（６０１）：既に何かのファンクション設定状態か否かの判定を行い、設定状態でない場合は、赤目緩和ランプのオン／オフの設定状態に切り換える為に（６０２）に進む。また、既に何かの設定状態の場合は、前回何の設定状態であったか否かの判定を行うために（６０４）に進む。
【００７８】
（６０２）：赤目緩和ランプのオン／オフの設定状態に切り換える。
【００７９】
（６０３）：終わり。
【００８０】
（６０４）：前回のファンクション設定状態が赤目緩和ランプのオン／オフ設定状態か否かの判定を行い、赤目緩和ランプ設定状態であった場合はブザーのオン／オフ設定状態に切り換えるために（６０５）に進む。また、赤目緩和ランプ設定状態でない場合、次の検索のために（６０６）に進む。
【００８１】
（６０５）：ブザーのオン／オフの設定状態に切り換える。
【００８２】
（６０６）：前回のファンクション設定状態がブザーのオン／オフ設定状態か否かの判定を行い、ブザーのオン／オフ設定状態であった場合はオートブラケット設定状態に切り換えるために（６０７）に進む。また、ブザーのオン／オフ設定状態でない場合、次の検索のために（６０８）に進む。
【００８３】
（６０７）：オートブラケット（ＡＥＢ）の設定状態に切り換える。
【００８４】
（６０８）：前回のファンクション設定状態がオートブラケット設定状態か否かの判定を行い、オートブラケット設定状態であった場合は多重露光の撮影枚数の設定状態に切り換えるために（６０９）に進む。また、オートブラケット設定状態でない場合、赤目緩和ランプのオン／オフ設定状態に切り換える為に（６１０）に進む。
【００８５】
（６０９）：多重露光の露光回数の設定状態に切り換える。
【００８６】
（６１０）：赤目緩和ランプのオン／オフの設定状態に切り換える。
【００８７】
以上説明した本実施の形態においては、撮影モードゾーンごとにファンクション設定の優先順位が異なるカメラが実現でき、より操作性が向上する。
【００８８】
＜第２の実施の形態＞
図７及び図８は第２の実施の形態を示す。
【００８９】
本実施の形態においては上記した第１の実施の形態とは異なった機能設定順序を実現したもので、基本的構成は第１の実施の形態と同様なので、その機能の設定動作について説明する。
【００９０】
本実施の形態を図１と図７、図８を用いて説明する。ここで図１のフローは第１の実施の形態で説明済みである。
【００９１】
撮影モードの第１ゾーンのファンクション設定処理について図７のフロー図を用いて説明する。
【００９２】
（７００）：始め。
【００９３】
（７０１）：既に何かのファンクション設定状態か否かの判定を行い、設定状態でない場合は、赤目緩和ランプのオン／オフの設定状態に切り換える為に（７０２）に進む。また、既に何かの設定状態の場合は、前回何の設定状態であったか否かの判定を行うために（７０４）に進む。
【００９４】
（７０２）：赤目緩和ランプのオン／オフの設定状態に切り換える。
【００９５】
（７０３）：終わり。
【００９６】
（７０４）：前回のファンクション設定状態が赤目緩和ランプのオン／オフ設定状態か否かの判定を行い、赤目緩和ランプ設定状態であった場合はブザーのオン／オフ設定状態に切り換えるために（７０５）に進む。また、赤目緩和ランプ設定状態でない場合、次の検索のために（７０６）に進む。
【００９７】
（７０５）：ブザーのオン／オフの設定状態に切り換える。
【００９８】
（７０６）：前回のファンクション設定状態がブザーのオン／オフ設定状態か否かの判定を行い、ブザーのオン／オフ設定状態であった場合はオートブラケット設定状態に切り換えるために（７０７）に進む。また、ブザーのオン／オフ設定状態でない場合、次の検索のために（７０８）に進む。
【００９９】
（７０７）：オートブラケット（ＡＥＢ）の設定状態に切り換える。
【０１００】
（７０８）：前回のファンクション設定状態がオートブラケット設定状態か否かの判定を行い、オートブラケット設定状態であった場合は多重露光の撮影枚数の設定状態に切り換えるために（７０９）に進む。また、オートブラケット設定状態でない場合、赤目緩和ランプのオン／オフ設定状態に切り換える為に（７１０）に進む。
【０１０１】
（７０９）：多重露光の露光回数の設定状態に切り換える。
【０１０２】
（７１０）：赤目緩和ランプのオン／オフの設定状態に切り換える。
【０１０３】
撮影モードの第２ゾーンのファンクション設定処理について図８のフロー図を用いて説明する。
【０１０４】
（８００）：始め。
【０１０５】
（８０１）：既に何かのファンクション設定状態か否かの判定を行い、設定状態でない場合は、赤目緩和ランプのオン／オフの設定状態に切り換える為に（８０２）に進む。また、既に何かの設定状態の場合は、前回何の設定状態であったか否かの判定を行うために（８０４）に進む。
【０１０６】
（８０２）：赤目緩和ランプのオン／オフの設定状態に切り換える。
【０１０７】
（８０３）：終わり。
【０１０８】
（８０４）：前回のファンクション設定状態が赤目緩和ランプのオン／オフ設定状態か否かの判定を行い、赤目緩和ランプ設定状態であった場合はブザーのオン／オフ設定状態に切り換えるために（８０５）に進む。また、赤目緩和ランプ設定状態でない場合、赤目緩和ランプのオン／オフ設定状態に切り換えるために（８０６）に進む。
【０１０９】
（８０５）：ブザーのオン／オフの設定状態に切り換える。
【０１１０】
（８０６）：赤目緩和ランプのオン／オフの設定状態に切り換える。
【０１１１】
以上説明した実施の形態を用いることにより、撮影モードゾーンごとにファンクション設定の種類が異なるカメラが実現でき、より操作性が向上する。
【０１１２】
＜第３の実施の形態＞
図９及び図１０は第３の実施の形態を示す。
【０１１３】
本実施の形態においては上記した第１、第２の実施の形態とは異なった機能設定順序を実現したもので、基本的構成は第１の実施の形態と同様なので、その機能の設定動作について説明する。
【０１１４】
本実施の形態を図１と図９、図１０を用いて説明する。ここで図１のフローは第１の実施の形態で説明済みである。
【０１１５】
次に撮影モードの第１ゾーンのファンクション設定処理について図９のフロー図を用いて説明する。
【０１１６】
（９００）：始め。
【０１１７】
（９０１）：既に何かのファンクション設定状態か否かの判定を行い、設定状態でない場合は、オートブラケット（ＡＥＢ）の設定状態に切り換える為に（９０２）に進む。また、既に何かの設定状態の場合は、前回何の設定状態であったか否かの判定を行うために（９０４）に進む。
【０１１８】
（９０２）：オートブラケット（ＡＥＢ）の設定状態に切り換える。
【０１１９】
（９０３）：終わり。
【０１２０】
（９０４）：前回のファンクション設定状態がオートブラケット設定状態か否かの判定を行い、オートブラケット設定状態であった場合は多重露光設定状態に切り換えるために（９０５）に進む。また、オートブラケット設定状態でない場合、次の検索のために（９０６）に進む。
【０１２１】
（９０５）：多重露光の露光回数の設定状態に切り換える。
【０１２２】
（９０６）：前回のファンクション設定状態が多重露光の露光回数の設定状態か否かの判定を行い、多重露光の露光回数の設定状態であった場合は赤目緩和ランプのオン／オフ設定状態に切り換えるために（９０７）に進む。また、多重露光の露光回数の設定状態でない場合、次の検索のために（９０８）に進む。
【０１２３】
（９０７）：赤目緩和ランプのオン／オフの設定状態に切り換える。
【０１２４】
（９０８）：前回のファンクション設定状態が赤目緩和ランプのオン／オフ設定状態か否かの判定を行い、赤目緩和ランプのオン／オフ設定状態であった場合はブザーのオン／オフ設定状態に切り換えるために（９０９）に進む。また、赤目緩和ランプのオン／オフ設定状態でない場合、オートブラケット（ＡＥＢ）設定状態に切り換える為に（９１０）に進む。
【０１２５】
（９０９）：ブザーのオン／オフの設定状態に切り換える。
【０１２６】
（９１０）：オートブラケット（ＡＥＢ）の設定状態に切り換える。
【０１２７】
撮影モードの第２ゾーンのファンクション設定処理について図１０のフロー図を用いて説明する。
【０１２８】
（１０００）：始め。
【０１２９】
（１００１）：既に何かのファンクション設定状態か否かの判定を行い、設定状態でない場合は、赤目緩和ランプのオン／オフの設定状態に切り換える為に（１００２）に進む。また、既に何かの設定状態の場合は、前回何の設定状態であったか否かの判定を行うために（１００４）に進む。
【０１３０】
（１００２）：赤目緩和ランプのオン／オフの設定状態に切り換える。
【０１３１】
（１００３）：終わり。
【０１３２】
（１００４）：前回のファンクション設定状態が赤目緩和ランプのオン／オフ設定状態か否かの判定を行い、赤目緩和ランプ設定状態であった場合はブザーのオン／オフ設定状態に切り換えるために（１００５）に進む。また、赤目緩和ランプ設定状態でない場合、赤目緩和ランプのオン／オフ設定状態に切り換えるために（１００６）に進む。
【０１３３】
（１００５）：ブザーのオン／オフの設定状態に切り換える。
【０１３４】
（１００６）：赤目緩和ランプのオン／オフの設定状態に切り換える。
【０１３５】
以上説明した実施の形態を用いることにより、撮影モードゾーンごとにファンクション設定の優先順位と種類が異なるカメラが実現でき、より操作性が向上する。
【０１３６】
＜第４の実施の形態＞
図１１及び図１２は第４の実施の形態を示す。
【０１３７】
本実施の形態は、前述の第１、第２、第３の実施の形態と基本的構成は同様であるが、ファンクション選択スイッチＳＷ７の１回押しの度に設定状態になる機能の順番をユーザーが自由に選択可能としたものである。
【０１３８】
ファンクションの順番をあらかじめ、専用釦と電子ダイアル１０等で図１２の３２個のなかから好きなものを選択し、第１モード、第２モード、第３モード、第４モードを設定するものとする。
【０１３９】
次に図１１のフロー図を用いて本実施の形態の説明をする。
【０１４０】
（１１００）：始め。
【０１４１】
（１１０１）：既に何かのファンクション設定状態か否かの判定を行い、設定状態でない場合は、第１モードの設定状態に切り換える為に（１１０２）に進む。また、既に何かの設定状態の場合は、前回何の設定状態であったか否かの判定を行うために（１１０４）に進む。
【０１４２】
（１１０２）：第１モードの設定状態に切り換える。
【０１４３】
（１１０３）：終わり。
【０１４４】
（１１０４）：前回のファンクション設定状態が第１モード設定状態か否かの判定を行い、第１モード設定状態であった場合は第２モード設定状態に切り換えるために（１１０５）に進む。また、第１モード設定状態でない場合、次の検索のために（１１０６）に進む。
【０１４５】
（１１０５）：第２モードの設定状態に切り換える。
【０１４６】
（１１０６）：前回のファンクション設定状態が第２モードの設定状態か否かの判定を行い、第２モードの設定状態であった場合は第３モード設定状態に切り換えるために（１１０７）に進む。また、第２モードの設定状態でない場合、次の検索のために（１１０８）に進む。
【０１４７】
（１１０７）：第３モードの設定状態に切り換える。
【０１４８】
（１１０８）：前回のファンクション設定状態が第３モード設定状態か否かの判定を行い、第３モード設定状態であった場合は第４モード設定状態に切り換えるために（１１０９）に進む。また、第３モード設定状態でない場合、第１モード設定状態に切り換える為に（１１１０）に進む。
【０１４９】
（１１０９）：第４モードの設定状態に切り換える。
【０１５０】
（１１１０）：第１モード設定の設定状態に切り換える。
【０１５１】
以上説明した実施の形態も用いることにより、撮影者がファンクション機能に優先順位を付けることが可能となり、撮影者の撮影スタイルにあった操作性の実現が可能となる。
【０１５２】
＜第５の実施の形態＞
図１４は本発明の第５の実施の形態を示す。
【０１５３】
本実施の形態では、複数の撮影モードが設定可能なカメラにおいて、それぞれの設定された撮影モードに対して設定可能なファンクションが異なる場合、設定可能なファンクションの異なる他の撮影モードが設定された時点で、前撮影モードでのみ設定可能なファンクションは全てイニシャライズにするものである。
【０１５４】
図１４は、本発明を実施したカメラの電気制御を現したブロック図で、基本的な構成は第１の実施の形態における図２のブロック図の構成と同様であるので、異なる点を以下に説明する。
【０１５５】
本実施形態の焦点検出回路６は、既存の位相差検出方式によりＡＦを行うためのラインセンサーと、その蓄積読み出しのための回路ユニットにより構成され、マイクロコンピューター１により制御を行う。マイクロコンピューター１は、センサー出力のＡ／Ｄ値をもとに、既存のアルゴリズムで測距を行い、レンズ駆動量を演算した後に合焦するようにレンズ制御回路２に演算で求めたレンズ駆動量を通信し、レンズを駆動し合焦させる。また、本実施の形態では、多点測距方式を採用し、このため焦点検出回路６は複数対のラインセンサーを有し、いずれかのラインセンサーを選択してファインダー内の復数箇所の測距が可能である。
【０１５６】
スイッチＳＷ９〜ＳＷ１２は、第１の実施の形態におけるスイッチＳＷ３〜ＳＷ６に対応するもので、図２１に示す撮影モードダイアルの回転によりオン／オフし、本スイッチのオン／オフ状態で１つの撮影モード（カメラお任せモード側はグリーンモード、ポートレートモード、風景モード、クローズアップモード、スポーツモードで、また影者がいろいろ設定して撮影する撮影ゾーン側はプログラム、シャッタースピード優先、絞り優先、マニアル）が選択される。
【０１５７】
ＳＷ１３は合焦時などにブザー１５を鳴らすか、鳴らさないかの設定を行う押し釦式のスイッチである。
【０１５８】
ＳＷ１４はストロボ撮影時に赤目緩和ランプ制御回路１６により不図示の赤目緩和ランプを撮影直前に点灯するか否かの設定を行うための押し釦式のスイッチである。ＳＷ１５は露出補正設定用の押し釦式のスイッチである。ＳＷ１６は測距点選択用の押し釦式のスイッチである。
【０１５９】
電子ダイアル１０は、ＴＶ優先が撮影モードとして設定されている場合、回転させることにより撮影者の希望とするＴＶ値を設定することができる。また、ＡＶ優先が撮影モードとして設定されている場合、同様に回転させることにより撮影者の希望とするＡＶ値を設定することができる。また、露出補正設定スイッチＳＷ１５の押し釦を押しながら電子ダイアル１０を回転した場合、回転した分露出補正値がアップ／ダウンする。そして、測距点選択スイッチＳＷ１０の押し釦を押しながら電子ダイアル１０を回転させると、３点測距の場合、自動選択→右測距点→中央測距点→左測距点→自動選択などの順に測距点選択が可能となる。
【０１６０】
ＳＷ１７はマニアル時にＡＶ値をセットするための押し釦式のスイッチであり、マニアルが選択されている場合、このスイッチＳＷ１７の押し釦を押さずに電子ダイアル１０を回転させると、回転した分のＴＶ値がアップ／ダウンしてＴＶ値の設定が可能となり、またこのスイッチＳＷ１７を押しながら電子ダイアル１０を回転させると、回転した分のＡＶ値がアップ／ダウンしてＡＶ値の設定が可能となる。
【０１６１】
次に、図１５のフロー図を用いて本実施形態のカメラ動作について説明する。（１３００）：ここは、カメラのメインスイッチが押された等の要因によりカメラの電源が入った状態であり、（１３０１）へ進む。
【０１６２】
（１３０１）：ここではスイッチセンス回路４の情報をもとに、モードの切り替えや、設定値の切り替えを行い、変化が有った場合は液晶駆動回路３に通信をして、表示データを修正する。
【０１６３】
（１３０２）：ここで第１ストロークスイッチＳＷ１が押されているか、押されていないかの判定を行い、押されている場合は、測光／測距のために（１３０６）へ進み、押されていない場合は、電源をオフするか否かの判定（１３０３）に進む。
【０１６４】
（１３０３）：電源をオフするか否かの判定を行い、オフする場合は（１３０４）へ進み、オフしない場合は（１３０１）のスイッチ情報入力に戻る。つまり、何らかの要因で、カメラの電源が立ち上がった場合には一定時間、電源を起こしておくことにより、スイッチの状態のチェックや表示の切り替えを行う。
【０１６５】
（１３０４）：カメラのファインダー内や外部の不必要な部分の表示を液晶表示回路３により消灯し、電源をオフする。
【０１６６】
（１３０５）：終わり
（１３０６）：測光回路７により被写体の測光を行い、測光出力をマイクロコンピューター１によりＡ／Ｄ変換し、露出条件（絞り、シャッタースピード）の演算を行う。
【０１６７】
（１３０７）：焦点検出回路６を用いて、ラインセンサーに蓄積し、読み出しを行い、そのセンサー出力のＡ／Ｄ値をもとに、既存のアルゴリズムで測距を行い、レンズ駆動量を演算した後に、合焦するようにレンズ制御回路２に演算で求めたレンズ駆動量を通信し、レンズを駆動し合焦させる。
【０１６８】
（１３０８）：（１３０６）で演算されたＡＶ値／ＴＶ値を液晶表示回路３によりファインダー内液晶表示器１２と外部表示１１に表示する。また、（１３０７）の測距結果が合焦ならば、合焦表示も行う。
【０１６９】
（１３０９）：ここでは、カメラの状態がレリーズを許可して良い状態か否かの判定を行う。例えば、ＡＦモードが、「ワンショットモード」である場合は（１３０７）の測距結果が、合焦ならばレリーズは許可され、第２ストロークスイッチＳＷ２のチェックを行う為に（１３１０）に進み、合焦でない場合は、スイッチのチェックの為に（１３０１）に戻る。ここで、第１ストロークスイッチＳＷ１がオンの場合は再び測光／測距／表示を行う。
【０１７０】
（１３１０）：ここで第２ストロークスイッチＳＷ２が押されているか否かの判定を行い、（１３１１）以降のレリーズ動作に進むか否かの判定を行う。第２ストロークスイッチＳＷ２がオンの場合はレリーズ動作を行う為に（１３１１）に進み、第２ストロークスイッチＳＷ２がオフの場合は、ＳＷのチェックの為に（１３０１）に戻る。ここで、第１ストロークスイッチＳＷ１がオンの場合は再び測光／測距／表示を行う。
【０１７１】
（１３１１）：ここからレリーズ動作が開始される。ここでは、給送モータ／チャージモータ制御回路９により、ミラーをアップすると共に、（１３０６）で決められた絞り量をレンズ制御回路２によりレンズ１３に通信し、設定露光量が得られるように絞り込み動作を行う。
【０１７２】
（１３１２）：シャッター制御回路８を用いて、（１３０６）で決められたＴＶ量が得られるように不図示のシャッター先幕及び後幕の走行制御を行う。
【０１７３】
（１３１３）：ここでは、給送モータ／チャージモータ制御回路９により、ミラーをダウンする、と同時にシャッターのチャージを行い、（１３０６）でレンズ制御回路２によりレンズ１３に通信し、絞り込まれていた絞りを開放に戻す。
【０１７４】
（１３１４）：給送モータ／チャージモータ制御回路９を用いてマイクロコンピューター１からの制御信号に従って、フィルムの巻き上げを行う。以上が本実施の形態におけるカメラの基本的動作である。
【０１７５】
図１６は本実施の形態で用いる撮影モードによる機能設定が可能か不可能かの状態例を示す図表である。Ａモード時はブザーのオン／オフ、赤目緩和のオン／オフ、露出補正設定、測距点選択の全てが設定可能であるのに対して、Ｂモードではブザーのオン／オフ、赤目緩和のオン／オフのみの設定が可能であることを示す。
【０１７６】
ここで、図５に示すステップ（１３０１）の機能の一部である機能設定を図１７のフロー図を用いて説明する。
【０１７７】
（１６００）：始め。
【０１７８】
（１６０１）：ブザー設定スイッチＳＷ１３がオンしているか否かの判定を行い、ブザー設定スイッチＳＷ１３がオンしている場合はブザーのオン／オフを設定する為に（１６０２）に進み、ブザー設定スイッチＳＷ１３がオフの場合は他のスイッチのオン／オフの検出の為に（１６０５）に進む。
【０１７９】
（１６０２）：ここで、設定値変更の為の電子ダイアル１０が変化したか否かの判定を行い、変化が無い場合は（１６０４）に進み、変化があった場合は、設定状態修正のために（１６０３）に進む。
【０１８０】
（１６０３）：ブザーのオン／オフ設定状態を電子ダイアル１０の値により設定する。例えば、右回転ならオンからオフに設定値を変更し、左回転ならオフからオンに設定値を変更する。
【０１８１】
（１６０４）：終わり。
【０１８２】
（１６０５）：赤目緩和設定スイッチＳＷ１４がオンしているか否かの判定を行い、スイッチＳＷ１４がオンしている場合は赤目緩和ランプのオン／オフを設定する為に（１６０６）に進み、スイッチＳＷ１４がオフの場合は他のスイッチのオン／オフの検出の為に（１６０８）に進む。
【０１８３】
（１６０６）：ここで、設定値変更の為の電子ダイアル１０が変化したか否かの判定を行い、変化が無い場合は（１６０４）に進み、変化があった場合は、設定状態修正のために（１６０７）に進む。
【０１８４】
（１６０７）：ブザーのオン／オフ設定状態を電子ダイアル１０の値により設定する。例えば、右回転ならオンからオフに設定値を変更し、左回転ならオフからオンに設定値を変更する。
【０１８５】
（１６０８）：ここでは撮影モードが図１６に示すように露出補正や測距点選択の設定が可能なＡモードであるか、露出補正や測距点選択の設定が不可能なＢモードであるかの判定を行い、Ａモードの場合は他の設定スイッチを検知するために（１６０９）に進み、Ｂモードの場合は他の設定スイッチの検知を終了し、（１６０４）に進む。
【０１８６】
（１６０９）：露出補正設定スイッチＳＷ１５がオンしているか否かの判定を行い、オンしている場合は露出補正設定のために（１６１０）に進み、オフの場合は他のスイッチのオン／オフの検出の為に（１６１１）に進む。
【０１８７】
（１６１０）：電子ダイアル１０の値に応じた露出補正値を設定する。
【０１８８】
（１６１１）：測距点選択スイッチＳＷ１６がオンしているか否かの判定を行い、オンしている場合は測距点選択設定のために（１６１２）に進み、オフの場合は（１６０４）に進む。
【０１８９】
（１６１２）：電子ダイアル１０の値に応じた測距点選択状態を設定する。
【０１９０】
次に、本実施形態の機能の初期化例に付いて説明する。
【０１９１】
（１２００）：始め。
【０１９２】
（１２０１）：図１５のステップ（１３０１）のスイッチ入力でＳＷ９，ＳＷ１０、ＳＷ１１，ＳＷ１２の変化を検知し、撮影モードが変化したことの判定を行い、撮影モードが変化したと判定された場合は（１２０３）に進み、撮影モードの変化がなかったと判定された場合は（１２０２）に進む。
【０１９３】
（１２０２）：終わり。
【０１９４】
（１２０３）：撮影モードの変化がモードＡからモードＢの変化であるか否かの判定を行い、モードＡからモードＢの変更であると判定された場合は、露出補正や測距点選択の初期化のために（１２０４）に進み、そうでない場合は（１２０２）に進む。
【０１９５】
（１２０４）：モード変更前に設定されていた露出補正を０（補正のかかってない状態）にする。
【０１９６】
（１２０５）：モード変更前に設定されていた測距点選択を自動選択にする。
【０１９７】
本実施の形態を用いることにより、撮影モード切り換えによる機能設定のイニシャルが明確化し、多機能でありながらより使いやく理解しやすいカメラを実現可能とする。
【０１９８】
＜第６の実施の形態＞
図１８は本発明の第６の実施の形態を示す。
【０１９９】
本実施の形態は、複数の撮影モードが設定可能なカメラにおいて、それぞれの設定された撮影モードで設定可能な機能は、他の撮影モードが設定された時点で、全て初期化するものである。
【０２００】
図１８のフロー図を用いて以下に本実施の形態について説明する。
【０２０１】
（１７００）：始め。
【０２０２】
（１７０１）：図１５のステップ（１３０１）のスイッチ入力で、ＳＷ９，ＳＷ１０、ＳＷ１１，ＳＷ１２の変化を検知し、撮影モードが変化したことの判定を行い、撮影モードが変化したと判定された場合は（１７０３）に進み、撮影モードの変化がなかったと判定された場合は（１７０２）に進む。
【０２０３】
（１７０２）：終わり。
【０２０４】
（１７０３）：モード変更前に設定されていたブザーのオン／オフ状態に関わらず強制的に「ブザー：オン」を設定する。
【０２０５】
（１７０４）：モード変更前に設定されていた赤目緩和ランプのオン／オフ状態に関わらず強制的に「赤目緩和ランプ：オフ」を設定する。
【０２０６】
（１７０５）：モード変更前に設定されていた露出補正を０（補正のかかってない状態）にする。
【０２０７】
（１７０６）：モード変更前に設定されていた測距点選択を自動選択にする。
【０２０８】
この処理動作を有する本実施の形態を用いることにより、撮影モード切り換えによる機能設定のイニシャル（状態）が明確化し、多機能でありながらより使いやく理解しやすいカメラを実現可能とする。
【０２０９】
＜第７の実施の形態＞
図１９、図２０、図２１は本発明の第７の実施の形態を示す。
【０２１０】
本実施の形態は、図２１に示すように、撮影モードダイアルの撮影モードに関して２種類の撮影モードゾーンを有する場合、それぞれの撮影モードゾーンの表示部がロックモードモード表示部の両側に位置し、両方の撮影モードゾーンで設定可能な機能が異なる場合、設定可能な機能が異なる他の撮影モードゾーンが設定された時点で、前撮影モードゾーンでのみ設定可能なファンクションは全て初期化し、ロック状態では保持するものである。
【０２１１】
図１９は本実施の形態で用いる撮影モードゾーンによる機能設定が可能か不可能かの状態例を示す図表である。
【０２１２】
Ａゾーン時はブザーのオン／オフ、赤目緩和のオン／オフ、露出補正設定、測距点選択の全てが設定可能であるのに対して、Ｂゾーンではブザーのオン／オフ、赤目緩和のオン／オフのみの設定が可能であることを示す。
【０２１３】
ここで、Ｂゾーンは、図２１に示すカメラの撮影モードダイアルを参照して示すと、カメラをお任せ撮影モードゾーン側（グリーンモード表示部９０５、ポートレートモード表示部９０６、風景モード表示部９０７、クローズアップモード表示部９０８、スポーツモード表示部９０９等を所定の位置に合わせることによりこれらのモードが選択される）で、Ａゾーンは撮影者がいろいろ設定して撮影する撮影ゾーン側（プログラムモード表示部９０３、シャッタースピード優先モード表示部９０３、絞り優先モード表示部９０１、マニアルモード表示部９０１等を所定の位置に合わせることによりこれらのモードが選択される）である。ここで、カメラお任せ撮影モードゾーンの各撮影モードは、それぞれの撮影目的の応じた絞り値やシャッタースピードやストロボ発光をカメラが判断して自動で設定する撮影モードである。
【０２１４】
図２０のフロー図を用いて本実施の形態の処理動作について説明する。
【０２１５】
（１８００）：始め。
【０２１６】
（１８０１）：図１５のステップ（１３０１）のスイッチ入力で、スイッチＳＷ９，ＳＷ１０、ＳＷ１１，ＳＷ１２の変化を検知し、撮影モードが変化したことの判定を行い、撮影モードが変化したと判定された場合は（１８０３）に進み、撮影モードの変化がなかったと判定された場合は（１８０２）に進む。
【０２１７】
（８０２）：終わり。
【０２１８】
（１８０３）：ここでは、カメラのメインスイッチを兼ねる撮影モードダイアルが撮影状態からロック状態に変化したのか否かの判定を行い、ロック状態になったと判定された場合は、露出補正や測距点選択の初期化は行わないので（１８０２）に進み、ロック状態でないと判定された場合は（１８０４）に進み、ゾーンＢの撮影モードか否かの判定を行う。
【０２１９】
（１８０４）：撮影モードの変化がゾーンＢになったか否かの判定を行い、ゾーンＢの撮影モードと判定された場合は露出補正や測距点選択の初期化のために（１８０５）に進む、そうでない場合は、初期化は行わないので（１８０２）に進む。
【０２２０】
（１８０５）：モード変更前に設定されていた露出補正を０（補正のかかってない状態）にする。
【０２２１】
（１８０６）：モード変更前に設定されていた測距点選択を自動選択にする。
【０２２２】
本実施の形態を用いることにより、特定の撮影モードゾーンの切り換えによる機能設定のイニシャル（状態）が明確化し、多機能でありながらより使いやく理解しやすいカメラを実現可能とする。また、ロック位置でメインスイッチのオフとなる撮影モードダイアルがロック時は機能の設定値が保持されるので、ロックする度に機能の設定を行う手間はなく、より操作性が向上する。
【０２２３】
【発明の効果】
請求項１ないし５に係わる発明では、撮影モードに合ったカメラ機能が優先的に選択可能となり、操作性が向上する。また、複数の撮影モード群がある場合にそれぞれの撮影モード群による最適な機能設定部材の機能の割当が可能となる。請求項６ないし１０に係わる発明では、複数ある撮影モードにおいて、設定されたモードで設定可能なもの以外は、他のモードが設定された場合、全て初期設定状態にすることにより、設定されっぱなしのミスをなくすとともに、撮影者がカメラの設定状態が認識しやすくなる。また、カメラお任せモードのように補正値が設定出来ないモードが設けられていても、撮影モードをお任せモード側に切り換えると、設定値のリセットが行え、簡易的リセット機能的扱いを可能とする。
【図面の簡単な説明】
【図１】本発明の第１の実施の形態を示すカメラの撮影モードダイアルのゾーン判別処理動作を示すフローチャート。
【図２】本発明の第１の実施の形態のカメラのブロック図。
【図３】本発明の第１の実施の形態のカメラの基本的動作のフローチャート。
【図４】本発明の第１の実施の形態のカメラの撮影モードダイアルの平面図。
【図５】本発明の第１の実施の形態の第１ゾーンにおける機能処理動作を示すフローチャート。
【図６】本発明の第１の実施の形態の第２ゾーンにおける機能処理動作を示すフローチャート。
【図７】本発明の第２の実施の形態の第１ゾーンにおける機能処理動作を示すフローチャート。
【図８】本発明の第２の実施の形態の第２ゾーンにおける機能処理動作を示すフローチャート。
【図９】本発明の第３の実施の形態の第１ゾーンにおける機能処理動作を示すフローチャート。
【図１０】本発明の第３の実施の形態の第２ゾーンにおける機能処理動作を示すフローチャート。
【図１１】本発明の第４の実施の形態における機能設定処理動作を示すフローチャート。
【図１２】本発明の第４の実施の形態における機能設定のためのモードの選択と機能選択の順番との関係を示す図。
【図１３】本発明の第５の実施の形態のＢモードへの切替時のイニシャライズ動作を示すフローチャート。
【図１４】本発明の第５の実施の形態のカメラのブロック図。
【図１５】本発明の第５の実施の形態のカメラの基本的動作を示すフローチャート。
【図１６】本発明の第５の実施の形態におけるＡ，Ｂモードでの機能の設定可否を示す図表。
【図１７】本発明の第５の実施の形態における機能設定動作を示すフローチャート。
【図１８】本発明の第６の実施の形態における機能の初期化動作を示すフローチャート。
【図１９】本発明の第７の実施の形態における撮影モードゾーンに応じた機能設定の可否を示す図表。
【図２０】本発明の第７の実施の形態における撮影モードに応じた機能初期化動作を示すフローチャート。
【図２１】本発明の第７の実施の形態における撮影モードダイアルの平面図。
【符号の説明】
１：マイクロコンピュータ
２：レンズ制御回路
３：液晶表示回路
４：スイッチセンス回路
５：ストロボ発光／調光制御回路
６：焦点検出回路
７：測光回路
８：シャッター制御回路
９：モーター制御回路
１０：電子ダイアル
１１：外部表示部材
１２：内部表示部材
１３：交換レンズ
１４：外付けストロボ
１５：ブザー制御回路
１６：赤目緩和ランプ制御回路
【図１】
0003839878.tif 000002
【図２】
0003839878.tif 000003
【図３】
0003839878.tif 000004
【図４】
0003839878.tif 000005
【図５】
0003839878.tif 000006
【図６】
0003839878.tif 000007
【図７】
0003839878.tif 000008
【図８】
0003839878.tif 000009
【図９】
0003839878.tif 000010
【図１０】
0003839878.tif 000011
【図１１】
0003839878.tif 000012
【図１２】
0003839878.tif 000013
【図１３】
0003839878.tif 000014
【図１４】
0003839878.tif 000015
【図１５】
0003839878.tif 000016
【図１６】
0003839878.tif 000017
【図１７】
0003839878.tif 000018
【図１８】
0003839878.tif 000019
【図１９】
0003839878.tif 000020
【図２０】
0003839878.tif 000021
【図２１】
0003839878.tif 000022